(57)【要約】【課題】液晶表示パネルをパネルヒータによって効率的に暖めることができ、ひいては、高品位の液晶表示を安価に実現することのできる液晶表示装置を提供する。【解決手段】液晶表示パネルの厚み方向の外側表面にパネルヒータが粘着材を介して粘着されている液晶表示装置において、粘着材１８の熱伝導率を０．５（単位：Ｗ／ｍ・Ｋ）以上とする。【選択図】      図１
2005049558.tif 000002
【特許請求の範囲】
【請求項１】
液晶表示パネルの厚み方向の外側表面に、前記液晶表示パネルを暖めるためのパネルヒータが粘着材を介して粘着されている液晶表示装置において、
前記粘着材は、熱伝導率が０．５（単位：Ｗ／ｍ・Ｋ）以上とされていることを特徴とする液晶表示装置。
【請求項２】
前記粘着材は、アクリル系ポリマーに少なくとも酸化アルミニウムが混入された粘着層を有している請求項１に記載の液晶表示装置。
【発明の詳細な説明】
【０００１】
【産業上の利用分野】
本発明は、液晶表示装置に係り、特に、液晶表示パネルの厚み方向の外側表面に、液晶表示パネルを暖めるためのパネルヒータが粘着材を介して粘着されている液晶表示装置に関する。
【０００２】
【従来の技術】
従来から、車載用等に用いられる液晶表示装置においては、低温下における液晶の応答速度を向上すべく、液晶表示パネルの液晶を暖めるためのパネルヒータが搭載されていた。
【０００３】
一般に、前記パネルヒータは、ガラス等からなるヒータ基板上に酸化インジウムスズ（ＩＴＯ）等からなる透明導電膜を有しており、この透明導電膜に対してパネルヒータに設けられた電極を介して電圧を印加することによって、前記透明導電膜を発熱させるようになっている。そして、前記透明導電膜の熱が液晶表示パネル側に移動することによって、液晶表示パネルが暖められるようになっている。
【０００４】
また、一例として前記パネルヒータは、粘着材を介して液晶表示パネルの反視認側の表面に粘着されることによって液晶表示装置に搭載されていた。
【０００５】
このようなパネルヒータの粘着に使用される粘着材として、従来は、ポリエステルフィルムからなる基材の両面に、アクリル系ポリマーからなる粘着層を有する粘着材が使用されていた。
【０００６】
【特許文献１】
特開２００１−２３５７３２号公報
【０００７】
【発明が解決しようとする課題】
ところで、前述のように、粘着材を介してパネルヒータが液晶表示パネルに粘着されている液晶表示装置においては、パネルヒータの発熱面と液晶表示パネルの対向面が密着するようにすれば熱伝達は良くなるが、部分的な密着部があると干渉縞等の表示不良となる。このため、パネルヒータの発熱面は液晶表示パネルの対向面との間に間隙を設けてある。そこで、液晶表示パネル側へのパネルヒータの熱の移動は、パネルヒータの発熱面と液晶表示パネルの対向面との間に存在する間隙部の空気を通じた熱伝達によってなされるが、これだけでなく、粘着材を通じた熱伝導によってもなされる。
【０００８】
しかし、従来の液晶表示装置においては、粘着材の熱伝導率が低かったため、間隙部の空気層および粘着材の熱伝導を通じて液晶表示パネルを効率的に暖めることができず、昇温速度の向上や消費電力の低減を図ることができないといった問題を有していた。
【０００９】
一方、液晶表示パネルの基板の表面に透明導電膜を直接形成することも考えられるが、この場合、偏光板を直に暖めることとなるため、偏光板の熱変形によって適正な偏光を得ることができず、却って表示品位を損ねてしまうことが懸念される。
【００１０】
本発明は、このような問題点に鑑みなされたもので、液晶表示パネルをパネルヒータによって効率的に暖めることができ、ひいては、高品位の液晶表示を安価に実現することのできる液晶表示装置を提供することを目的とするものである。
【００１１】
【課題を解決するための手段】
前記目的を達成するため本発明の請求項１に係る液晶表示装置の特徴は、液晶表示パネルの厚み方向の外側表面に、前記液晶表示パネルを暖めるためのパネルヒータが粘着材を介して粘着されている液晶表示装置において、前記粘着材の熱伝導率が０．５（単位：Ｗ／ｍ・Ｋ。以下省略）以上とされている点にある。
【００１２】
そして、このような構成によれば、粘着材を通じた熱伝導を向上することができるため、液晶表示パネルをパネルヒータによって効率的に暖めることが可能となる。
【００１３】
請求項２に係る液晶表示装置の特徴は、請求項１において、前記粘着材が、アクリル系ポリマーに少なくとも酸化アルミニウムが混入された粘着層を有している点にある。
【００１４】
そして、このような構成によれば、粘着材を通じた優れた熱伝導を簡易に得ることができ、さらにコストを廉価にすることが可能となる。
【００１５】
【発明の実施の形態】
以下、本発明に係る液晶表示装置の実施形態について、図１および図２を参照して説明する。
【００１６】
図１に示すように、本実施形態における液晶表示装置１は、液晶表示パネル２の反視認側に、前記液晶表示パネル２を暖めるためのパネルヒータ３を有している。
【００１７】
前記液晶表示パネル２は、シール４を介して互いに貼り合わされたガラス等からなる視認側および反視認側の二枚の基板５、６を有しており、両基板５、６および前記シール４によって囲繞された空間内には、液晶７が封入されている。
【００１８】
両基板５、６の厚み方向の内側には、酸化インジウムスズ（ＩＴＯ）等からなる一対の表示電極８、９が形成されており、両表示電極８、９の内側には、配向膜等の図示しない薄膜層が形成されている。
【００１９】
また、反視認側の基板６には、表示電極９のリード端子９ａを有する端子部６ａが延出形成されており、この端子部６ａ上には、液晶駆動用のドライバＩＣ１１が搭載されている。前述のＣＯＧ方式に限らず、端子部６ａにフレキシブル配線板が接続されていても良い。
【００２０】
前記二枚の基板５、６の厚み方向の外側には、偏光板１２、１３が形成されており、この偏光板１２、１３によって、液晶７を透過する透過光の振動方向が規制されるようになっている。
【００２１】
前記パネルヒータ３は、ガラス等からなるヒータ基板１５の表面（図１において視認側の表面）に酸化インジウムスズ等からなる透明導電膜１６を有しており、この透明導電膜１６が、パネルヒータ３の発熱面となっている。
【００２２】
前記透明導電膜１６は、この透明導電膜１６上に形成された図示しない電極を介して外部駆動回路から電圧を印加することによって、熱抵抗に基づく発熱を行うようになっている。
【００２３】
そして、図２に示すように、前記パネルヒータ３は、平面枠状の粘着材１８を介して前記液晶表示パネル２の反視認側の偏光板１３に粘着されている。
【００２４】
または、反視認側の偏光板１３の外形をあらかじめ小さく形成しておき、平面枠状の粘着材１８を液晶表示パネル２の反視認側の基板６に粘着しても良い。
【００２５】
本実施形態において、前記粘着材１８は、熱伝導率が０．５以上とされている。
【００２６】
なお、前記粘着材１８としては、例えば、熱伝導性接着剤転写テープ（Ｎｏ．９８８２、９８８５、９８８０）（住友スリーエム株式会社）等を用いてもよい。
【００２７】
したがって、前記粘着材１８による熱伝導を通じて前記パネルヒータ３の熱を液晶表示パネル２側に有効に移動させることができ、液晶表示パネル２を効率的に暖めることができるようになっている。
【００２８】
なお、液晶表示パネル２とパネルヒータ３との間に粘着材１８の厚みに相当する一定の間隙を設けることにより偏光板１３の熱変形等を回避することができる。
【００２９】
さらに、本実施形態において、前記粘着材１８は、アクリル系ポリマーに酸化アルミニウムが混入された粘着層１９を有している。前記粘着層１９の組成比は、好ましくはアクリル系ポリマーが２０〜４５重量％とされ、酸化アルミニウムが５５〜８０重量％とされている。
【００３０】
このように、熱伝導率に優れた粘着層１９を簡易に構成することによって、製造コストをさらに削減することができるようになっている。
【００３１】
次に、本実施形態の作用について説明する。
【００３２】
本実施形態において、前記パネルヒータ３によって前記液晶表示パネル２を暖めるには、パネルヒータ３の透明導電膜１６に対してパネルヒータに設けられた電極を介して電圧を印加することにより、前記透明導電膜１６を発熱させる。
【００３３】
この透明導電膜１６の熱は、主に、パネルヒータ３と液晶表示パネル２との間隙部を通じた熱伝達と、前記粘着材１８を通じた熱伝導とによって、液晶表示パネル２側に移動する。
【００３４】
このとき、前記粘着材１８は、熱伝導率が０．５以上の高い熱伝導性を有しているため、パネルヒータ３の熱を液晶表示パネル２側に効率的に移動させることができる。
【００３５】
これによって、液晶７の昇温速度が向上し、低温下における液晶７の応答速度が向上するのでパネルヒータの駆動に要する電力消費量を抑えつつ、液晶表示パネル２を適正に駆動することができる。
【００３６】
したがって、本実施形態によれば、熱伝導率に優れた安価な粘着材１８を用いることによって液晶表示パネル２をパネルヒータ３によって効率的に暖めることができ、この結果、低温下においても、液晶表示装置を安価にかつ適正に駆動することができる。
【００３７】
なお、本発明は前記実施形態のものに限定されるものではなく、必要に応じて種々変更することが可能である。
【００３８】
例えば、アルミ箔あるいは銅箔の両面に前記粘着層１９を設けることによって粘着材を形成するようにしてもよい。この場合、粘着材の熱伝導率をさらに向上することが可能である。このような粘着材の例としては、熱伝導性両面テープ（♯８５３０ＡＤ、♯８５３５ＡＤＣ）（大日本インキ化学工業）等が挙げられる。
【００３９】
また、ポリエステル等からなる薄肉の基材の両面に前記粘着層１９を設けることによって粘着材を形成するようにしてもよい。この場合においても、粘着材の高い熱伝導率によって液晶表示パネル２を効率的に温めることができる。
【００４０】
さらに、アクリル系ポリマーに、酸化アルミニウムとともに炭化珪素等の粉末を混入することによって粘着層１９を形成するようにしてもよい。
【００４１】
また、本発明は、透過型および反射型あるいは半透過反射型のいずれの液晶表示装置にも適用可能なものである。
【００４２】
【発明の効果】
以上述べたように本発明の請求項１に係る液晶表示装置によれば、特に低温下における表示品位に優れた液晶表示装置を安価に実現することができる。
【００４３】
請求項２に係る液晶表示装置によれば、請求項１に係る液晶表示装置の効果に加えて、特に低温下における表示品位に優れた液晶表示装置をさらに安価に実現することができる。
【図面の簡単な説明】
【図１】本発明に係る液晶表示装置の実施形態を模式的に示した縦断面図
【図２】図１の概略平面図
【符号の説明】
１  液晶表示装置
２  液晶表示パネル
３  パネルヒータ
１３  偏光板
１８  粘着材
１９  粘着層
【図１】
2005049558.tif 000003
【図２】
2005049558.tif 000004